(57)【要約】【課題】  交換のアタッチメントなどを必要とせず、一つのバケットのみで格子状のマス目の大きさを変更可能なバケットを提供すること。【解決手段】  本発明のバケットは、バケット１の底部又は内部に平行に配置される複数のブレード３１を備え、該ブレードは、当該平行な方向の回転軸３２に対して回動自在に構成され、該ブレードを所定角度に回動して固定することで、該ブレードが形成する開口部の開き状態を調整可能に構成したことを特徴とする。【選択図】図５
2012092610.tif 000002
【特許請求の範囲】
【請求項１】
バケットの底部又は内部に平行に配置される複数のブレードを備え、
該ブレードは、当該平行な方向の回転軸に対して回動自在に構成され、
該ブレードを所定角度に回動して固定することで、該ブレードが形成する開口部の開き状態を調整可能に構成したことを特徴とするバケット。
【請求項２】
請求項１に記載のバケットにおいて、該ブレードを横部材とし、該横部材と交差する複数の縦部材が該バケット本体に固定され、該ブレードの回転軸は、該縦部材によって支持されていることを特徴とするバケット。
【請求項３】
請求項１又は２に記載のバケットにおいて、該ブレードの回転軸から所定の距離離れた位置に、複数のブレードを同時に同じ方向に移動させるためのリンク機構を設けたことを特徴とするバケット。
【発明の詳細な説明】
【技術分野】
【０００１】
本発明は、地盤改良や土壌改質など、土質処理のための掘削・ふるい・撹拌を行うバケットに関する。
【背景技術】
【０００２】
地盤改良や土壌改質などでは、土を掘削したり、篩にかけたり、撹拌するなどの処理を、パワーショベル等の重機に取り付けたバケットで行っている。このようなバケットでは、スケルトンバケットやミキシングフォークなどのように、バケット内に縦部材や横部材を所定間隔で配置し、格子状の開口部（マス目）が形成されている。
【０００３】
バケットは、掘削、夾雑物の除去、粒径の調整、地盤改良での撹拌処理など目的に応じて、適切な目のサイズを有するものに交換することが必要である。また、地盤改良の混合処理においては、土質や粒度組成によって効率良く撹拌できるマス目の幅が異なる。さらに、川底や一般のダム、砂防ダムの堆砂利用などにおいては、バケットのマス目を小さくしてすくい上げ時の砂の流出を防ぐ必要がある一方、砂に混入している巨礫や流木などを除去するためマス目の大きいバケットで篩う必要があり、その後の利用用途に応じてもバケットのマス目を調整する必要がある。
【０００４】
しかしながら、作業の種類や工程に応じてマス目を変えるには、マス目の大きさの種類だけ、異なるバケットを用意する必要があり、作業効率が悪い上、バケットの保管場所が別途必要であり、運搬作業も煩雑化するなど、処理作業が高コスト化するという問題があった。
【０００５】
これに対し、特許文献１又は２では、図１及び２に示すように、必要なマス目の大きさに応じて横部材を追加したり除去することを提案している。具体的には、バケット１には、縦部材２と横部材３とを格子状に組み合わせてマス目が形成されている。マス目の大きさを細かくする際には、側板４の一部又は全部を取り外して、縦部材に設けられた通し孔２１に、棒状部材を挿入し、結果として横部材の数を増加させることでマス目を細かくしている。図１はバケットの正面図であり、図２は側面図である。このような方法は、バケット自体は１つで良いが、交換作業が煩雑であり、作業効率が低下する問題を有している。
【０００６】
また、特許文献３では、図３に示すように、共通のバケットに対して、着脱可能な格子状の支持フレームや篩網を設けることで、マス目の大きさを変更することが提案されている。具体的には、図３（ａ）のバケット本体５の矢印Ａの部分に図３（ｂ）の支持フレーム６を挿入・固定することが可能であり、さらに、支持フレーム６の矢印Ｂの部分に、図３（ｃ）の篩網７を配置固定できるよう構成されている。これにより、バケット本体５のみ、バケット本体５と支持フレーム６の組み合わせ、さらに、バケット本体５と支持フレーム６及び篩網７の組み合わせ、というように、各種の組み合わせで、マス目の大きさを変更することが可能となる。このような方法は、バケット程の大きさでないが、マス目の大きさが異なる支持フレームや篩網を複数用意する必要があるため、保管場所や運搬作業の問題が依然として発生している。
【先行技術文献】
【特許文献】
【０００７】
【特許文献１】実開平４−８２０５０号公報
【特許文献２】特開２０００−２８２５０４号公報
【特許文献３】特開平１１−３２３９９６号公報
【発明の概要】
【発明が解決しようとする課題】
【０００８】
本発明が解決しようとする課題は、上述したような問題を解決し、交換のアタッチメントなどを必要とせず、一つのバケットのみで格子状のマス目の大きさを変更可能なバケットを提供することである。
【課題を解決するための手段】
【０００９】
上記課題を解決するため、請求項１に係る発明は、バケットの底部又は内部に平行に配置される複数のブレードを備え、該ブレードは、当該平行な方向の回転軸に対して回動自在に構成され、該ブレードを所定角度に回動して固定することで、該ブレードが形成する開口部の開き状態を調整可能に構成したことを特徴とするバケットである。
【００１０】
請求項２に係る発明は、請求項１に記載のバケットにおいて、該ブレードを横部材とし、該横部材と交差する複数の縦部材が該バケット本体に固定され、該ブレードの回転軸は、該縦部材によって支持されていることを特徴とする。
【００１１】
請求項３に係る発明は、請求項１又は２に記載のバケットにおいて、該ブレードの回転軸から所定の距離離れた位置に、複数のブレードを同時に同じ方向に移動させるためのリンク機構を設けたことを特徴とする。
【発明の効果】
【００１２】
請求項１に係る発明により、バケットの底部又は内部に平行に配置される複数のブレードを備え、該ブレードは、当該平行な方向の回転軸に対して回動自在に構成され、該ブレードを所定角度に回動して固定することで、該ブレードが形成する開口部の開き状態を調整可能に構成したため、交換のアタッチメントなどを必要とせず、一つのバケットのみで格子状のマス目の大きさを変更することが可能となる。
【００１３】
請求項２に係る発明により、ブレードを横部材とし、該横部材と交差する複数の縦部材が該バケット本体に固定され、該ブレードの回転軸は、該縦部材によって支持されているため、処理作業中には、ブレードに大きな荷重が掛かるが、複数の縦部材により回転軸が支持されているため、回転軸に沿ったブレード等の変形を抑制することができる。
【００１４】
請求項３に係る発明により、ブレードの回転軸から所定の距離離れた位置に、複数のブレードを同時に同じ方向に移動させるためのリンク機構を設けたため、ブレード間を土砂などが通過する際に、ブレード間の間隔を広げるような負荷が掛るが、回転軸とリンク機構の二箇所でブレードの位置を固定しているため、処理作業中にマス目の大きさが変わるなどの不測の事態を抑制することが可能となる。
【図面の簡単な説明】
【００１５】
【図１】特許文献１又は２に開示されたバケットの従来例を示す正面図である。
【図２】図１のバケットの側面図である。
【図３】特許文献３に開示されたバケットの従来例を示す図である。
【図４】本発明のバケットを示す正面図である。
【図５】図４のバケットの側面図である。
【図６】ブレードをリンク機構で動作させる方法を説明する図である。
【図７】ブレードをモータで動作させる方法を説明する図である。
【発明を実施するための形態】
【００１６】
以下、本発明のバケットについて、好適例を用いて詳細に説明する。図４は本発明が適用されるバケットの正面図であり、図５は、図４のバケットの側面図である。
本発明のバケットは、バケット１の底部又は内部に平行に配置される複数のブレード３１を備え、該ブレードは、当該平行な方向の回転軸３２に対して回動自在に構成され、該ブレードを所定角度に回動して固定することで、該ブレードが形成する開口部の開き状態を調整可能に構成したことを特徴とする。
【００１７】
図４及び５に示すように、バケット本体は、上枠部材、下枠部材及び側枠部材を組み付け、バケットの底面に沿って縦部材２と横部材３により格子状のマス目が形成されている。また、必要に応じて側板４が取り付けられる。このようなバケット本体に対して、角度を可変することが可能な複数のブレード４を、バケットの底部又は内部に配置している。図４及び５は、バケットの内部配置した状態を示しているが、横部材３と同様に縦部材２に沿ってブレードを配置することも可能である。
【００１８】
ブレードは、図６又は図７に示す駆動機構により、ブレードの角度を可変調整できるよう構成されている。図６は、ブレード３１を支持部材２２で指示すると共に、リンク部材２３を用いたリンク機構により、ブレード３１は、図６（ａ）の状態から一斉に図６（ｂ）の状態へと回動できるよう構成されている。各ブレードは、支持部材２２に指示された回転軸３２の周りを回転することが可能である。また、リンク部材２３は、油圧ピストン８などの油圧機構を利用して図面の横方向に移動する。
【００１９】
各ブレード３１の回転軸３２から所定の距離離れた位置に、リンク部材２３が各ブレードと係合している。このように、リンク機構を用いると、ブレードを回動調整できるだけでなく、回転軸を支える支持部材２２とリンク機構を構成するリンク部材２３の二つでブレードを支持している。このため、ブレード間を土砂などが通過する際に、ブレード間の間隔を広げるような負荷が掛っても、処理作業中にマス目の大きさが変わることはない。
【００２０】
図７は、ブレードの他の駆動機構を示している。８１は電動又は油圧モータであり、モータが回転することで、軸や歯車を介して各ブレード３３を矢印Ｃのように回動させる。このように、複数のブレードを同時に同じ方向に回動させることで、ブレードが構成するマス目の大きさを任意に変更することが可能となる。なお、符号３４はブレードの回転軸である。
【００２１】
図４及び５では、ブレードを支持する支持部材は、ブレード３１の両端のみを支持していたが、横部材と交差する複数の縦部材をバケット本体に固定して、ブレードの回転軸を、複数の縦部材によって支持するよう構成することも可能である。この場合には、縦部材間の間隔に収まるようなブレードの長さになるが、ブレードを短い間隔で支持しているため、ブレードの機械的強度を向上されることが可能となる。当然、縦部材として、図４の符号２で示したバケット本体の底部を構成する縦部材と兼用することも可能である。
【００２２】
ブレードの回転軸に垂直な方向の幅は、特に限定されないが、完全にマス目を封止する場合には、隣接するブレードの間隔より長く設定することが必要である。
【００２３】
本発明のバケットは、スケルトンバケットやミキシングフォークなど、重機に備えられた各種のバケットに変えて適用することが可能である。また、本発明のバケットは、主として砂を主体とする堆積土砂の掘削・運搬、夾雑物の除去、規格外粒径物の除去、地盤改良工における最適な条件での混合・撹拌処理など、種々の処理作業に利用することが可能である。そして、ブレードの駆動機構に電動又は油圧の駆動機構を採用することで、重機オペレータの手元操作のみでバケットのマス目を簡単に変更することができ、処理作業の効率を向上させることが可能となる。なお、本発明のバケットは、必ずしも自動的にブレードの角度を変更する機構が不可欠ではなく、数名の作業員がリンク機構などを操作して、ブレードの角度を調整可能とすることも可能である。
【産業上の利用可能性】
【００２４】
以上説明したように、本発明によれば、交換のアタッチメントなどを必要とせず、一つのバケットのみで格子状のマス目の大きさを変更可能なバケットを提供することができる。
【符号の説明】
【００２５】
１  バケット
２  縦部材
３  横部材
４  側板
３１  ブレード
３２  回転軸
【図１】
2012092610.tif 000003
【図２】
2012092610.tif 000004
【図３】
2012092610.tif 000005
【図４】
2012092610.tif 000006
【図５】
2012092610.tif 000007
【図６】
2012092610.tif 000008
【図７】
2012092610.tif 000009